(57)【要約】【課題】ダイアル式とすることによって操作感を向上させつつ、どの機能を選択しているのかユーザが容易に認識することができる携帯電子機器を提供する。【解決手段】制御部５７は、前記第１の方向２１に導光された光を受光した受光部１８から出力される光電気変換出力信号に基づき各種の機能のうち、第２の方向２２への導光によって照光されている機能表示部１５に対応した機能を実行する。【選択図】図２
2010232808.tif 000002
【特許請求の範囲】
【請求項１】
筐体と、
前記筐体内部に配設され、光を発光する発光部と、
一部が前記筐体の外部に露出し、前記筐体に対して回転可能に支持され、前記発光部の光を第１の方向及び第２の方向に導光する導光体を含む回転体と、
前記筐体内部に配設され、前記第１の方向に導光された光を受光する受光部と、
各種の機能を実行する制御部と、を有し、
前記第２の方向に導光された光は、前記回転体の表面に形成された機能表示部を照光し、
前記制御部は、前記受光部が前記第１の方向に導光された光の受光に応じて出力する出力信号に基づき、前記各種の機能のうち、第２の方向への導光によって照光されている前記機能表示部に対応した機能を実行する
携帯電子機器。
【請求項２】
前記回転体は第１の導光体と第２の導光体とを有し、
前記第１の導光体は、前記第２の方向への導光により第１の機能表示部を照光し、かつ、導光する光を変換する第１の変換を行い、
前記第２の導光体は、前記第２の方向への導光により第２の機能表示部を照光し、かつ、導光する光を変換する第２の変換を行い、
前記第１の変換と前記第２の変換は相異する変換を行う
請求項１に記載の携帯電子機器。
【請求項３】
前記回転体は円柱形状を有し、
前記回転体は前記筐体に形成された溝部に配置されており、
底面の１つは前記筐体の表面と面一面となっており、回転体外周面の一部のみが前記筐体外部に露出して操作可能となっている
請求項１又は２に記載の携帯電子機器。
【請求項４】
前記発光部から出射される光は白色光であり、
前記複数の導光体は、それぞれ、可視光領域において分光特性が異なる
請求項１〜３いずれか１項に記載の携帯電子機器。
【請求項５】
前記白色光は、赤、青、緑色の光を放射する発光素子によって生成される
請求項４に記載の携帯電子機器。
【発明の詳細な説明】
【技術分野】
【０００１】
本発明は携帯電話機、ＰＤＡ、携帯型ゲーム機、携帯用テレビジョン、携帯用ラジオ等の携帯電子機器に関する。
【背景技術】
【０００２】
従来、携帯電子機器においては、機能を切替えて、新たに一定の機能（例えば、メール機能、カメラ機能、テレビジョン機能、ビデオ機能等）を発揮させる為には、携帯電気機器のボタンを押圧して携帯電子機器にその旨の命令を与える方法が一般的である。
また、特許文献１には、ボタン式ではなく回転させるという、ダイアル式とすることによって一定の機能を切替える方法が記載されている。
【先行技術文献】
【特許文献】
【０００３】
【特許文献１】特開２０００―１３３０８５号公報
【発明の概要】
【発明が解決しようとする課題】
【０００４】
しかしながら、従来のボタン式においては機能を切替えるボタンを押しても、携帯電子機器の表示画面等には変化が現れるものの、携帯電子機器の外観に物理的な変化がないため、その機能に切替えられたのか認識し難い。
つまり、操作に対応した物理的な変化がなく操作感がないという欠点があった。
また、特許文献１のようにダイアル式とすると、物理的に回転するという変化があり操作感を有することはできるが、どの機能を選択しているのか認識し難い。
つまり、回転による機能選択と、所望の機能との対応が認識し難いという欠点があった。
【０００５】
本発明の目的は、ダイアル式とすることによって操作感を向上させつつ、どの機能を選択しているのかユーザが容易に認識することができる携帯電子機器を提供することである。
【課題を解決するための手段】
【０００６】
本発明の携帯電子機器は、筐体と、前記筐体内部に配設され、光を発光する発光部と、一部が前記筐体の外部に露出し、前記筐体に対して回転可能に支持され、前記発光部の光を第１の方向及び第２の方向に導光する導光体を含む回転体と、前記筐体内部に配設され、前記第１の方向に導光された光を受光する受光部と、各種の機能を実行する制御部と、を有し、前記第２の方向に導光された光は、前記回転体の表面に形成された機能表示部を照光し、前記制御部は、前記受光部が前記第１の方向に導光された光の受光に応じて出力する出力信号に基づき、前記各種の機能のうち、第２の方向への導光によって照光されている前記機能表示部に対応した機能を実行する。
【０００７】
好適には、前記回転体は第１の導光体と第２の導光体とを有し、前記第１の導光体は、前記第２の方向への導光により第１の機能表示部を照光し、かつ、導光する光を変換する第１の変換を行い、前記第２の導光体は、前記第２の方向への導光により第２の機能表示部を照光し、かつ、導光する光を変換する第２の変換を行い、前記第１の変換と前記第２の変換は相異する変換を行う。
【０００８】
好適には、前記回転体は円柱形状を有し、前記回転体は筐体に形成された溝部に配置されており、底面の１つは筐体の表面と面一面となっており、回転体外周面の一部のみが前記筐体外部に露出して操作可能となっている。
【０００９】
好適には、前記発光部から出射される光は白色光であり、前記複数の導光体は、それぞれ、可視光領域において分光特性が異なる。
【００１０】
好適には、前記白色光は、赤、青、緑色の光を放射する発光素子によって生成される。
【発明の効果】
【００１１】
本発明によると、ダイアル式とすることによって操作感を向上させつつ、どの機能を選択しているのかユーザが容易に認識することができる携帯電子機器を提供することができる。
【図面の簡単な説明】
【００１２】
【図１】本発明の実施形態に係る携帯電話機の外観を開状態で示す斜視図である。
【図２】機能切替操作装置の拡大図である。
【図３】図２の機能切替操作装置のＩＩＩ−ＩＩＩの断面図である。
【図４】図１の携帯電話機の信号処理系を示すブロック図である。
【図５】本発明における変形例を表す図である。
【発明を実施するための形態】
【００１３】
図１は、本発明の実施形態に係る携帯電話機１の外観を開状態で示す斜視図である。
【００１４】
携帯電話機１は、いわゆる折り畳み式の携帯電話機１として構成されており、開状態と閉状態との間で互いに回動可能に連結部９によって連結された第１筐体２及び第２筐体３を有している。図１は、第１筐体２及び第２筐体３の開状態を示している。
第１筐体２は、第２筐体３と対向する部分を構成する第１筐体フロントケース４と、第２筐体３とは反対側部分を構成する第１筐体リアケース５とを有している。
第２筐体３は、第１筐体２と対向する部分を構成する第２筐体フロントケース６と、第１筐体２とは反対側部分を構成する第２筐体リアケース７とを有している。
【００１５】
第１筐体フロントケース４及び第１筐体リアケース５はネジ等により互いに固定され、第１筐体フロントケース４及び第１筐体リアケース５の間に形成された空間に種々の電子部材を収容する収容空間を構成する。
第２筐体フロントケース６及び第２筐体リアケース７もネジ等により互いに固定され、第２筐体フロントケース６及び第２筐体リアケース７の間に形成された空間に種々の電子部材を収容する収容空間を構成する。
これらの第１筐体フロントケース４、第１筐体リアケース５、第２筐体フロントケース６及び第２筐体リアケース７は、例えば、樹脂により形成されている。
【００１６】
なお、方向を示すときは、第１筐体リアケース５から第１筐体フロントケース４に向かう方向を表面方向（図１においては、紙面手前の方向）といい、第１筐体フロントケース４から第１筐体リアケース５に向かう方向を裏面方向（図１においては、紙面奥手の方向）という。
同様に第２筐体リアケース７から第２筐体フロントケース６に向かう方向を表面方向（図１においては、紙面手前の方向）といい、第２筐体フロントケース６から第２筐体リアケース７に向かう方向を裏面方向（図１においては、紙面奥手の方向）という。
【００１７】
また、第１筐体２において連結部９に向かう方向を結合部方向（図１の第１筐体２においては、紙面下の方向）といい、その逆を結合部反対方向（図１の第１筐体２においては、紙面上方向）という。
同様に、第２筐体３においても、連結部９に向かう方向を結合部方向（図１の第２筐体３においては、紙面上の方向）といい、その逆を結合部反対方向（図１の第２筐体３においては、紙面下の方向）という。
【００１８】
さらに、図１のように第１筐体２を上にし、第２筐体３を下にした状態とした時に、右側に来る側面を右側面１１とし、左側に来る側面を左側面１２という。
そして、右側面１１側に向かう方向を右側面方向（図１においては、紙面右の方向）といい、左側面１２面に向かう方向を左側面方向（図１においては、紙面左の方向）という。
【００１９】
図１のように、第１筐体フロントケース４には表示部８が配置されている。
この表示部８は、携帯電話機１の状態、ユーザの操作内容、発信先電話番号、電子メールの内容の表示、ゲーム画面等の様々な情報を表示するためのものである。
また、表示部８はＬＣＤ（液晶ディスプレイ）、ＯＬＥＤ（Organic light-emitting diode：有機ＥＬ）等によって構成されている。
【００２０】
また、図１のように、第２筐体フロントケース６の表面方向には、入力部１０が配置されている。この入力部１０をユーザが操作することによって、携帯電話機１に命令の入力、文字の入力等がなされる。
【００２１】
第２筐体３の表面方向位置には回転体１４が配置されている。より具体的には、右側面１１側であって、連結部９の近傍に配置されている。
この回転体１４を回転させることで各種の機能を発揮させる、機能切替操作装置１３としての機能を果たしている。
各種の機能とは、例えば、電子メール機能、カメラ機能、テレビジョン機能、ビデオ機能等である。
【００２２】
図２は、機能切替操作装置１３の拡大図である。
【００２３】
図２は、表面方向位置から見た機能切替操作装置１３である。
図２のように、回転体１４の表面方向の表面には機能を表示する機能表示部１５が配置されている。
機能切替操作装置１３によって、切換可能な機能の数は、受光部１８が分別可能である数、機能表示部１５が記載可能である数、ユーザが違和感なく操作可能である数等によって限界はあるものの、基本的にはいくつでも可能である。
ここでは、単純化するために３つの機能を切り替え可能な例を表示する。
具体的な例として、メール機能として第１の機能表示部１５ａが記載されている。また、同様に、カメラ機能として第２の機能表示部１５ｂ及びテレビジョン機能として第３の機能表示部１５ｃが記載されている。
【００２４】
回転体１４は、略円筒形状を有しており、回転軸２５を中心として表面方向の時計回り及び反時計回りに回転可能である。
この回転体１４を回転させて機能表示部１５が回転軸２５の左側面方向の位置（受光部１８側の位置）に来た時に、携帯電話機１はそのことを検出して機能表示部１５が表す機能を発揮する。
図２のように、各機能表示部１５の内部位置には、それぞれ対応した導光体２０が配置されている。導光体２０は、色の着色された透明部材によって構成する。
そして、各導光体２０は入射された光を異なる周波数に変換する。具体的な例としては、第１の導光体２０ａは入射光を赤色帯域の波長に変換する。同様に、第２の導光体２０ｂは入射光を緑色領域の波長に変換し、第３の導光体２０ｃは入射光を青色領域の波長に変換する。
ここで変換とは、入射した光の色を異なる光の色にして出射することをいう。換言すれば、色フィルタ（導光体２０）に入射した光の一部が色フィルタ内部で吸収され、吸収されなかった光の成分が出射することである。
【００２５】
回転体１４は、携帯電話機１の右側面１１よりも一部が張出している。この張出している部分をユーザが操作することによって、回転体１４が時計回り及び反時計回りに回転する。
【００２６】
第２筐体フロントケース６の表面方向の筐体表面３０から裏面方向に凹んだ溝部２６を有している。この溝部２６は筐体表面３０よりも裏面方向に位置し、筐体表面３０と同一の方向である表面方向を向いた筐体底面２７と、筐体底面２７と筐体表面３０とをつなぐ部分である筐体外周面２３からなっている。
筐体外周面２３は、表面方向位置から観察すると２７０度程度を有する円弧状の形状をしており、回転体１４の厚さとほぼ同じ深さを有している。
【００２７】
図３は、図２（ａ）のＩＩＩ−ＩＩＩにおける断面図である。
【００２８】
図３のように、ＩＩＩ−ＩＩＩの断面においては、筐体外周面２３と筐体底面２７とは、第２筐体フロントケース６と第２筐体リアケース７をＬ字型に切欠いた形状を有している。
そして、筐体底面２７には、表面側に延びる回転軸２５が配置されている。この回転軸２５は回転体１４を回転自在に支持している。
【００２９】
また、筐体底面２７の表面方向位置には発光部１７が配置されている。発光部１７は光を生成する役割を有している。例えば、赤色・青色・緑色の３色を発する波長の光を出射するＬＥＤによって構成され、白色光を生成する。もっとも、白色光である必然性は必ずしもなく、その他の色であってもよい。
【００３０】
筐体外周面２３には、受光部１８が配設されている。この受光部１８は導光体２０によって導光された光を受光する。そして、受光した光に応じて後述する制御部５７に信号を発信する。
【００３１】
図３のように、回転体１４は、その表面方向の表面に機能表示シート１９が配置されている。機能表示シート１９は透明又は半透明の材料によって構成されており、機能表示部１５がその表面に印刷されている。
印刷は、機能表示部１５を透明又は半透明にして、その他の部分を遮光材料によって印刷してもよい。逆に、機能表示部１５を遮光材料によって印刷し、その他の部分を透明又は半透明とする方法であってもよい。
【００３２】
回転体１４は、筐体外周面２３に対向する回転体外周面２４と、筐体底面２７に対向する回転体底面２８を有する。
そして、回転体外周面２４の一部は導光体２０が導光した光を放射する放射面３１を構成する。
また、筐体底面２７の一部は導光体２０に光が入射する受光面２９を構成する。
【００３３】
発光部１７から出射された光は、発光部１７の受光面２９から第１の導光体２０ａ内部に入射する。
そして、入射した光の一部は、ハーフミラー３２によって反射されずに発光部１７の表面方向（以下、「第２の方向２２」という）に直進する。また、入射した光の他の一部は、ハーフミラー３２によって反射されて、その方向を変えられて左側面１２側の方向（以下、「第１の方向２１」という）に導光される。
この第２の方向２２に導光された光は、機能表示部１５を照光する。
また、第１の方向２１に導光された光は、導光体２０の放射面３１から放射される。この放射面３１から放射された光は受光部１８によって受光される。
第１の方向２１に導光された光及び第２の方向２２に導光された光は、導光体２０が有する色成分材料によって変換されている。
ハーフミラー３２は、導光体２０の内部に形成されており、発光部１７からの光の一部を反射して、受光部１８へ変換された光を導く機能を有している。さらに、ハーフミラー３２は、発光部１７からの光の一部を透過して変換された光を機能表示部シート１９へ導く機能を有している。
【００３４】
導光体２０は不図示の複数の導光体から成っており、かつ、それぞれの導光体は入射光を相異なる波長に変換する。
そして、回転体１４が回転すると、受光部１８の側に来る機能表示部１５が入れ替わりそれにともない、発光部１７から発光されて受光部１８によって受光される光が通過する導光体２０が入れ替わる（例えば、第１の導光体２０ａから第２の導光体２０ｂへ入れ替わる）。
そうすると、受光部１８が受光する光が、新たに選択された機能に対応する光となる。
この光を受光部１８が検出して、ユーザがどの機能を選択したのかを検出することができる。
【００３５】
例えば、第１の導光体２０ａが赤色成分のみを反射する材料を含んでいるのであれば、第１の方向２１及び第２の方向２２に導光された光も赤成分の領域の光を有することになる。
この第２の方向２２に導光された光は、回転体１４の表面に形成された第１の機能表示部１５ａを赤色に照光する。一方他の機能表示部１５である第２の機能表示部１５ｂ及び第３の機能表示部１５ｃは照光されない。
機能表示部１５が照光されること、及び、その照光の色が赤であることによって、ユーザは、第１の機能表示部１５ａによって表示される機能が選択されていることを知ることができる。
そして、回転されて、第２の機能表示部１５ｂが選択され、第２の導光体２０ｂを光が通過するようになると、第２の機能表示部１５ｂのみが照光される。そして、第２の導光体２０ｂが青色成分のみを反射する材料を含んでいるのであれば、第２の機能表示部１５ｂが青色に照光される。これによって、ユーザは第２の機能表示部１５ｂが選択されたことを知ることができる。
【００３６】
そして、第１の方向２１に導光された光は放射面３１から放射され、受光部１８に受光される。受光部１８は、受光した光の成分を後述する制御部５７に信号として発信する。
もっとも、受光部１８は光の色の成分を正確に検出して発信する必要は必ずしもない。
つまり、導光体２０が有する色成分によって通過した光の強度は変化するのであるから、受光部１８は色の成分を認識しないで、受光した光の強度によって、どの導光体２０を通過したのか知ることができる。
そうすると、光の強度のみの情報を発信すれば、どの導光体２０を通った光なのか判定できるからである。
したがって、本発明において「変換」とは、波長を変化させることに加えて、光の強度を変化させることも含むものである。
【００３７】
このように、機能切替操作装置１３を光学的に構成することによって、検出装置である機能切替操作装置１３の大型化を防ぐことができる。
つまり、光学的なセンサは機械的なセンサに比して小型化することができる。そして、本発明では発光部１７、導光体２０及び受光部１８という光学的な装置によって構成しているのであるから、機能切替操作装置１３を小型化できる。
また、機能切替操作装置１３を光学的に構成することによって、検出装置である機能切替操作装置１３の耐久性を上げることができる。
つまり、光学的なセンサは機械的なセンサに比して接触する部分がないために、摩耗等のおそれがないことから耐久性が高く作製することができる。そして、本発明では光学的な装置によって構成しているのであるから、機能切替操作装置１３の耐久性を上げることができる。
【００３８】
図４は、図１の携帯電話機１の信号処理系を示すブロック図である。
【００３９】
図４に示されるように、携帯電話機１は、制御・処理の中枢である制御部５７と、通信部５１と、操作部５２と、音声入出力部５３と、表示部８と、撮像部５５と、記憶部５６のそれぞれが、アドレス、データ、コントロールのためのラインが複数本からなるシステムバス５８に共通に接続され、構成される。
【００４０】
通信部５１は、無線通信システムを捕捉し、通信ネットワークに接続される基地局との間で無線通信を行い、各種データの送受信を行う。各種データとは、音声通話時の音声データ、メール送受信時のメールデータ、テレビジョン放送のデータ、等である。
【００４１】
操作部５２は、入力部１０及び機能切替操作装置１３を有している。
そして、入力部１０は、例えば、電源キー、通話キー、数字キー、文字キー、方向キー、決定キー、発信キー、ファンクションキーなど、各種の機能が割り当てられたキーを有している。
そして、これらのキーがユーザによって操作された場合に、その操作内容に対応する信号を発生し、これをユーザの指示として制御部５７に出力する。
本発明では、操作部５２はこれらのみならず、機能切替操作装置１３を有している。そして、受光部１８によって受光した信号を制御部５７に通知する。
【００４２】
音声入出力部５３は、スピーカから出力される音声信号やマイクロフォンにおいて入力される音声信号の入出力処理を行う。
すなわち、音声入出力部５３は、マイクロフォンから入力された音声を増幅し、アナログ／デジタル変換を行い、更に符号化等の信号処理を施し、デジタルの音声データに変換して制御部５７に出力する。
本発明においては、ユーザが機能切替操作装置１３を操作することによってカメラ機能（ビデオ機能）が選択された場合に、音声を電気信号に変換する役割を有している。
また、音声入出力部５３は、制御部５７から供給される音声データに復号化、デジタル／アナログ変換、増幅等の信号処理を施し、アナログの音声信号に変換してスピーカに出力する。
本発明においては、ユーザが機能切替操作装置１３を操作することによってテレビジョン機能が選択された場合に、電気信号を音声に変換してユーザに伝える役割を有している。
【００４３】
表示部８は、制御部５７から供給される映像信号に応じた画像を表示する。
表示部８は、例えば、通信部５１による無線発信時における発信先の電話番号、着信時における発信元の電話番号、受信メールや送信メールの内容、日付、時刻、電池残量、発信成否、待ち受け画面等を表示する。
本発明においては、テレビジョン機能が選択された場合に、テレビジョン放送の放送画面を表示したり、カメラ機能が選択された場合に、撮像部５５が撮像している画面を表示したりする機能を表示部８は有する。
【００４４】
撮像部５５は、ＣＣＤ（Charge Coupled Device）やＣＭＯＳ（Complementary Metal Oxide Semiconductor）イメージセンサ等の光電変換素子とその制御回路等により構成されるカメラである。
この撮像部５５によって撮像されたデータは制御部５７に送られて圧縮等の処理がなされて、記憶部５６に記憶等される。
【００４５】
記憶部５６では、携帯電話機１の各種処理に利用される各種データを記憶する。記憶部５６は、例えば制御部５７が実行するコンピュータのプログラム、通信相手の電話番号や電子メールアドレス等の個人情報を管理するアドレス帳、着信音やアラーム音を再生するための音声ファイル、待ち受け画面用の画像ファイル、各種の設定データ、プログラムの処理過程で利用される一時的なデータが記憶される。
【００４６】
制御部５７は、携帯電話機１の全体的な動作を統括的に制御する。
すなわち、制御部５７は、携帯電話機１の各種処理（回線交換網を介して行われる音声通話、電子メールの作成と送受信など）が操作部５２の操作に応じて適切な手順で実行されるように、上述した各ブロックの動作（通信部５１における信号の送受信、表示部８における画像の表示、撮像部５５における撮像処理等）を制御する。
また、本発明においては、受光部１８が受光した光の色成分又は強度成分等から、ユーザが行った機能切替操作装置１３の操作を検出する。
具体的には、導光体２０のうちどの導光体２０を通過した光を受光部１８が受光しているのかを検出する。
そして、特定した導光体２０に対応する機能表示部１５に記載されている、機能を実行する機能を有する。
【００４７】
図５は、本発明における変形例を表す図である。
【００４８】
機能切替操作装置１３は、必ずしも図１のように第２筐体フロントケース６の右側面１１の連結部９側に配置する必然性はない。
意匠性の向上、機能性の向上、選択する機能に応じて携帯電話機１のどの位置にも配置可能である。
具体的には、例えば、図５のように連結部９の側面であってもよい。
この位置に配置することの利点は、携帯電話機１が折り畳まれていても機能切替操作装置１３の機能表示部１５を確認することが可能であることである。
この利点によって、選択する機能を例えば携帯電話機１の裏面方向に配置されているサブディスプレイの切換えに用いることもできる。
【００４９】
以上の実施形態によれば、第２筐体３と、第２筐体３内部に配設され、光を発光する発光部１７とを有している。
また、一部が第２筐体３の外部に露出し、第２筐体３に対して回転可能に支持され、発光部１７の光を第１の方向２１及び第２の方向２２に導光する導光体２０を含む回転体１４とを有している。
さらに、第２筐体３内部に配設され、第１の方向２１に導光された光を受光する受光部１８と、各種の機能を実行する制御部５７と、を有している。
加えて、第２の方向２２に導光された光は、回転体１４の表面に形成された機能表示部１５を照光する。
そして、制御部５７は、受光部１８が第１の方向２１に導光された光の受光に応じて出力する出力信号に基づき、各種の機能のうち、第２の方向２２への導光によって照光されている機能表示部１５に対応した機能を実行する。
このような構成によって、ユーザは機能を選択する場合に、何を選択したのかその回転体１４に表示されている機能表示部１５によって確認することができる。そして、そのことは、ユーザが直接的に操作しているために携帯電話機１に慣れていないユーザであっても容易に操作することができる。
このような構成、つまり、機能切替操作装置１３を光学的に構成することによって、検出装置である機能切替操作装置１３の大型化を防ぐことができる。
つまり、光学的なセンサは機械的なセンサに比して小型化することができる。そして、本発明では発光部１７、導光体２０及び受光部１８という光学的な装置によって構成しているのであるから、機能切替操作装置１３を小型化できる。
このような構成によって、光学的に機能切替操作装置１３を光学的に構成することによって、検出装置である機能切替操作装置１３の耐久性を上げることができる。
つまり、光学的なセンサは機械的なセンサに比して接触する部分がないために、摩耗等のおそれがないことから耐久性が高く作製することができる。そして、本発明では光学的な装置によって構成しているのであるから、機能切替操作装置１３の耐久性を上げることができる。
携帯電子機器。
【００５０】
回転体１４は第１の導光体２０ａと第２の導光体２０ｂとを有し、第１の導光体２０ａは、第２の方向２２への導光により第１の機能表示部１５ａを照光し、かつ、導光する光を変換する第１の変換を行っている。
また、第２の導光体２０ｂは、第２の方向２２への導光により第２の機能表示部１５ｂを照光し、かつ、導光する光を変換する第２の変換を行っている。
そして、第１の変換と前記第２の変換は相異する変換を行っている。
このような構成によって、複数の機能のうちユーザが行った機能選択を光学的に検出することができる。
そして、そのことは、携帯電話機１の耐久性の向上及び携帯電話機１の小型化を図ることができる。
【００５１】
回転体１４は円柱形状を有し、回転体１４は筐体に形成された溝部２６に配置されており、底面の１つ１９は筐体表面３０と面一面となっており、回転体外周面２４の一部のみが第２筐体３外部に露出して操作可能となっている。
このような、底面の１つ１９は筐体表面３０と面一面となる構成によって、機能切替操作装置１３が構成されていない方の筐体である、第１筐体２には溝を設けなくてもすむ。
また、回転体外周面２４が第２筐体３の右側面１１から張出しているために、ユーザは回転体１４を容易に回転させることができる。
【００５２】
発光部１７から出射される光は白色光であり、複数の導光体２０は、それぞれ、可視光領域において分光特性が異なる。
このような構成、可視光全ての周波数を有する白色光を用いることによって、導光体２０の色はすべての色を用いることができる。
【００５３】
前記白色光は、赤、青、緑色の光を放射する発光素子によって生成される。
赤、青、緑色の光を放射する発光素子は一般的に用いられているものであり、きわめて容易に手に入れることができることから、本発明における機能切替操作装置１３を容易に作製することができるという利点がある。
【００５４】
なお、以上の実施形態において、第２筐体３は本発明の筐体の一例であり、ＬＥＤは発光素子の一例である。
【００５５】
本発明は、以上の実施形態に限定されず、種々の態様で実施されてよい。
【００５６】
携帯電子機器は、携帯電話機１に限定されない。例えば、携帯電子機器は、ノートパソコン、ＰＤＡ、ゲーム機、カメラであってもよい。また、携帯電子機器は、折り畳み式のものに限定されない。ケースが一体的に構成されたもの（１つのみのケース）であってもよい。
【００５７】
導光体２０自体は単に光を強度、波長等を変化させるものであって、色の変化を生じさせないものであってよい。この場合には、機能表示部１５が着色される等の方法がありうる。
【符号の説明】
【００５８】
１…携帯電話機、２…第１筐体、３…第２筐体、４…第１筐体フロントケース、５…第１筐体リアケース、６…第２筐体フロントケース、７…第２筐体リアケース、８…表示部、９…連結部、１０…入力部、１１…右側面、１２…左側面、１３…機能切替操作装置、１４…回転体、１５…機能表示部、１５ａ…第１の機能表示部、１５ｂ…第２の機能表示部、１５ｃ…第３の機能表示部、１７…発光部、１８…受光部、１９…機能表示シート、２０…導光体、２０ａ…第１の導光体、２０ｂ…第２の導光体、２０ｃ…第３の導光体、２１…第１の方向、２２…第２の方向、２３…筐体外周面、２４…回転体外周面、２５…回転軸、２６…溝部、２７…筐体底面、２８…回転体底面、２９…受光面、３０…筐体表面、３１…放射面、３２…ハーフミラー、５１…通信部、５２…操作部、５３…音声入出力部、５４…表示部、５４…撮像部、５６…記憶部、５７…制御部、５８…システムバス
【図１】
2010232808.tif 000003
【図２】
2010232808.tif 000004
【図３】
2010232808.tif 000005
【図４】
2010232808.tif 000006
【図５】
2010232808.tif 000007